(57)【要約】  このクラッチ制御装置は、エンジン（１３）と、変速機（２１）と、クラッチ装置（２６）と、クラッチアクチュエータ（５０）と、制御部（６０）と、クラッチ操作子（４ｂ）と、クラッチ操作量センサ（４ｃ）と、を備え、前記制御部（６０）は、前記クラッチアクチュエータ（５０）による前記クラッチ装置（２６）の自動制御中に、前記クラッチ操作子（４ｂ）によるマニュアルクラッチ操作の介入を可能とし、前記制御部（６０）は、前記マニュアルクラッチ操作の介入によるクラッチ切断操作時に、前記クラッチ操作量センサ（４ｃ）の出力値に基づく前記クラッチ操作子（４ｂ）の操作量が、予め定めた所定値（θ２）に達した場合には、クラッチ容量の制御目標値を、前記クラッチ操作子（４ｂ）の前記操作量に応じた対操作目標値（Ｐｖ）に対してクラッチ切断側に変化した接続下限目標値（Ｐｘ）に設定する。
2019087511.tif 000002
【特許請求の範囲】
【請求項１】
エンジンと、
変速機と、
前記エンジンと前記変速機との間の動力伝達を断接するクラッチ装置と、
前記クラッチ装置を駆動してクラッチ容量を変更するクラッチアクチュエータと、
前記クラッチ容量の制御目標値を演算する制御部と、
前記クラッチ装置を手動で操作可能とするクラッチ操作子と、
前記クラッチ操作子の操作量を電気信号に変換するクラッチ操作量センサと、を備え、
前記制御部は、前記クラッチアクチュエータによる前記クラッチ装置の自動制御中に、前記クラッチ操作子によるマニュアルクラッチ操作の介入を可能とし、
前記制御部は、前記マニュアルクラッチ操作の介入によるクラッチ切断操作時に、前記クラッチ操作量センサの出力値に基づく前記クラッチ操作子の前記操作量が、予め定めた所定値に達した場合には、前記クラッチ容量の前記制御目標値を、前記クラッチ操作子の前記操作量に応じた対操作目標値に対してクラッチ切断側に変化した接続下限目標値に設定することを特徴とするクラッチ制御装置。
【請求項２】
前記制御部は、前記クラッチ容量の前記制御目標値を前記接続下限目標値に設定した状態で、前記対操作目標値が前記接続下限目標値をクラッチ切断側に超えた場合には、前記対操作目標値に基づくクラッチ制御に移行することを特徴とする請求項１に記載のクラッチ制御装置。
【請求項３】
前記制御部は、前記クラッチ操作量センサの前記出力値に基づいて、前記クラッチ操作子がクラッチ接続側へ操作されて介入判断操作量を越えた場合には、前記クラッチ容量の前記制御目標値を、前記マニュアルクラッチ操作から切り離した自動制御目標値に設定することを特徴とする請求項１又は２に記載のクラッチ制御装置。
【請求項４】
前記接続下限目標値は、前記クラッチ装置が滑らない値であることを特徴とする請求項１から３の何れか一項に記載のクラッチ制御装置。
【請求項５】
前記クラッチ操作子はクラッチレバーであり、前記クラッチレバーの操作は、前記クラッチレバーの回動角度で検知することを特徴とする請求項１から４の何れか一項に記載のクラッチ制御装置。
【請求項６】
前記クラッチ容量は、油圧で制御されていることを特徴とする請求項１から５の何れか一項に記載のクラッチ制御装置。
【請求項７】
前記クラッチ容量は、前記油圧が下がると低下して前記クラッチ装置を切断することを特徴とする請求項６に記載のクラッチ制御装置。
【発明の詳細な説明】
【技術分野】
【０００１】
本発明は、クラッチ制御装置に関する。
本願は、２０１７年１０月３１日に、日本に出願された特願２０１７−２１０７５１号に基づき優先権を主張し、その内容をここに援用する。
【背景技術】
【０００２】
従来、アクチュエータによるクラッチの自動制御中に、クラッチレバーによるマニュアル操作の介入を可能としたものがある（例えば、特許文献１参照）。
特許文献１では、クラッチの自動制御時におけるマニュアル操作の介入をスムーズに実行するために、自動制御中のクラッチ容量とマニュアル操作クラッチ容量の演算値との差異が大きい状態では、マニュアル操作クラッチ容量演算値への切り替えが行われることを防ぎ、クラッチ容量が急激に変化することを避け、マニュアル操作を違和感なく介入させることを可能とする。
【先行技術文献】
【特許文献】
【０００３】
【特許文献１】日本国特開２０１４−０７０６８１号公報
【発明の概要】
【発明が解決しようとする課題】
【０００４】
ところで、上記従来の技術では、クラッチレバーによるマニュアル操作の介入時（クラッチ切断操作時）におけるクラッチの切断性能（応答性）については言及されていない。
すなわち、クラッチ容量を油圧により制御する場合、油圧経路にフリクション（圧損）が生じるため、目標油圧に対するスレーブ油圧の追従に遅れが発生し、クラッチの作動が遅延することがある。特に、クラッチの切断操作時には、目標油圧に対して制御対象油圧の遅れが発生すると、運転者がクラッチの切れの悪さを感じやすい。【０００５】
本発明は、クラッチの自動制御中にマニュアル操作を介入した際のクラッチの切断性能を向上させることができるクラッチ制御装置を提供することを目的とする。
【課題を解決するための手段】
【０００６】
上記課題の解決手段として、本発明の態様は以下の構成を有する。
（１）本発明の態様に係るクラッチ制御装置は、エンジンと、変速機と、前記エンジンと前記変速機との間の動力伝達を断接するクラッチ装置と、前記クラッチ装置を駆動してクラッチ容量を変更するクラッチアクチュエータと、前記クラッチ容量の制御目標値を演算する制御部と、前記クラッチ装置を手動で操作可能とするクラッチ操作子と、前記クラッチ操作子の操作量を電気信号に変換するクラッチ操作量センサと、を備え、前記制御部は、前記クラッチアクチュエータによる前記クラッチ装置の自動制御中に、前記クラッチ操作子によるマニュアルクラッチ操作の介入を可能とし、前記制御部は、前記マニュアルクラッチ操作の介入によるクラッチ切断操作時に、前記クラッチ操作量センサの出力値に基づく前記クラッチ操作子の前記操作量が、予め定めた所定値に達した場合には、前記クラッチ容量の前記制御目標値を、前記クラッチ操作子の前記操作量に応じた対操作目標値に対してクラッチ切断側に変化した接続下限目標値に設定する。【０００７】
（２）上記（１）に記載のクラッチ制御装置では、前記制御部は、前記クラッチ容量の前記制御目標値を前記接続下限目標値に設定した状態で、前記対操作目標値が前記接続下限目標値をクラッチ切断側に超えた場合には、前記対操作目標値に基づくクラッチ制御に移行してもよい。【０００８】
（３）上記（１）又は（２）に記載のクラッチ制御装置では、前記制御部は、前記クラッチ操作量センサの前記出力値に基づいて、前記クラッチ操作子がクラッチ接続側へ操作されて介入判断操作量を越えた場合には、前記クラッチ容量の前記制御目標値を、前記マニュアルクラッチ操作から切り離した自動制御目標値に設定してもよい。【０００９】
（４）上記（１）から（３）の何れか一項に記載のクラッチ制御装置では、前記接続下限目標値は、前記クラッチ装置が滑らない値であってもよい。【００１０】
（５）上記（１）から（４）の何れか一項に記載のクラッチ制御装置では、前記クラッチ操作子はクラッチレバーであり、前記クラッチレバーの操作は、前記クラッチレバーの回動角度で検知してもよい。【００１１】
（６）上記（１）から（５）の何れか一項に記載のクラッチ制御装置では、前記クラッチ容量は、油圧で制御されてもよい。【００１２】
（７）上記（６）に記載のクラッチ制御装置では、油前記クラッチ容量は、前記油圧が下がると低下して前記クラッチ装置を切断してもよい。
【発明の効果】
【００１３】
本発明の上記（１）に記載のクラッチ制御装置によれば、クラッチ容量の制御目標値を、クラッチ装置が切断を開始する直前（滑る直前）の下限値に相当する接続下限目標値になるまで、クラッチ操作子の操作よりも早く変化させておくことが可能となる。つまり、クラッチ操作子の操作位置がクラッチ切断位置に達する前に、クラッチ装置を予め切断直前の状態とすることが可能となる。このため、クラッチ操作子の切断操作に対するクラッチ装置の作動の遅れが抑えられ、マニュアルクラッチ操作の介入時におけるクラッチ装置の切断性能（応答性）を向上させることができる。【００１４】
本発明の上記（２）に記載のクラッチ制御装置によれば、クラッチ操作子の操作量に応じた対操作目標値が、接続下限目標値をクラッチ切断側に超えた場合には、対操作目標値に基づいてクラッチ容量を制御することで、マニュアルクラッチ操作によってユーザーが操作量に比例してクラッチ装置の切断操作を行うことができる。【００１５】
本発明の上記（３）に記載のクラッチ制御装置によれば、クラッチ操作子がクラッチ接続側へ操作されて所定の操作量に達した場合には、ユーザー要望によりマニュアルクラッチ操作の介入が終了したものとし、連続的に自動制御に切り替えることができる。【００１６】
本発明の上記（４）に記載のクラッチ制御装置によれば、クラッチ装置が完全に接続した状態の直後からクラッチ装置の切断を開始することが可能となり、ユーザー操作により接続下限目標値を越えた後には、ユーザー要望を反映するように速やかにクラッチ装置を切断することができる。【００１７】
本発明の上記（５）に記載のクラッチ制御装置によれば、ユーザーがクラッチ切断を要求するタイミングを安定してかつ正確に検知することができる。【００１８】
本発明の上記（６）、（７）に記載のクラッチ制御装置によれば、油圧の流抵抗（圧損）によるクラッチアクチュエータおよびクラッチ装置の間の駆動力の伝達遅れを抑えることができる。
【図面の簡単な説明】
【００１９】
【図１】本発明の実施形態における自動二輪車の左側面図である。
【図２】上記自動二輪車の変速機およびチェンジ機構の断面図である。
【図３】クラッチアクチュエータを含むクラッチ作動システムの概略説明図である。
【図４】変速システムのブロック図である。
【図５】クラッチアクチュエータの供給油圧の変化を示すグラフである。
【図６】シフトアームおよびシフト操作検知スイッチをシフトスピンドルの軸方向から見た正面図である。
【図７】図６のＶＩＩ−ＶＩＩ断面図である。
【図８】シフト操作検知スイッチがシフト操作を検知した状態の図６に相当する正面図である。
【図９】本実施形態のクラッチ制御装置における与圧制御の処理を示すフローチャートである。
【図１０】本実施形態のクラッチ制御装置における接続準備制御の処理を示すフローチャートである。
【図１１Ａ】比較例のクラッチ制御装置における制御パラメータの変化を示すタイムチャートである。
【図１１Ｂ】本実施形態のクラッチ制御装置における制御パラメータの変化を示すタイムチャートである。
【図１２】本実施形態のクラッチレバー操作量とセンサ出力電圧およびクラッチ容量との相関を示すグラフである。
【図１３】本実施形態のクラッチ制御モードの遷移を示す説明図である。
【発明を実施するための形態】
【００２０】
以下、本発明の実施形態について図面を参照して説明する。なお、以下の説明における前後左右等の向きは、特に記載が無ければ以下に説明する車両における向きと同一とする。また以下の説明に用いる図中適所には、車両前方を示す矢印ＦＲ、車両左方を示す矢印ＬＨ、車両上方を示す矢印ＵＰが示されている。
【００２１】
＜車両全体＞
図１に示すように、本実施形態は、鞍乗型車両である自動二輪車１に適用されている。自動二輪車１の前輪２は、左右一対のフロントフォーク３の下端部に支持されている。左右フロントフォーク３の上部は、ステアリングステム４を介して、車体フレーム５の前端部のヘッドパイプ６に支持されている。ステアリングステム４のトップブリッジ上には、バータイプの操向ハンドル４ａが取り付けられている。
【００２２】
車体フレーム５は、ヘッドパイプ６と、ヘッドパイプ６から車幅方向（左右方向）中央を下後方へ延びるメインチューブ７と、メインチューブ７の後端部の下方に連なる左右ピボットフレーム８と、メインチューブ７および左右ピボットフレーム８の後方に連なるシートフレーム９と、を備えている。左右ピボットフレーム８には、スイングアーム１１の前端部が揺動可能に枢支されている。スイングアーム１１の後端部には、自動二輪車１の後輪１２が支持されている。
【００２３】
左右メインチューブ７の上方には、燃料タンク１８が支持されている。燃料タンク１８の後方でシートフレーム９の上方には、前シート１９および後シートカバー１９ａが前後に並んで支持されている。シートフレーム９の周囲は、リヤカウル９ａに覆われている。左右メインチューブ７の下方には、自動二輪車１の原動機であるパワーユニットＰＵが懸架されている。パワーユニットＰＵは、後輪１２と例えばチェーン式伝動機構を介して連係されている。
【００２４】
パワーユニットＰＵは、その前側に位置するエンジン（内燃機関）１３と後側に位置する変速機２１とを一体に有している。エンジン１３は、例えばクランクシャフト１４の回転軸を左右方向（車幅方向）に沿わせた複数気筒エンジンである。エンジン１３は、クランクケース１５の前部上方にシリンダ１６を起立させている。クランクケース１５の後部は、変速機２１を収容する変速機ケース１７とされている。
【００２５】
＜変速機＞
図２に示すように、変速機２１は、メインシャフト２２およびカウンタシャフト２３ならびに両シャフト２２，２３に跨る変速ギア群２４を有する有段式のトランスミッションである。カウンタシャフト２３は変速機２１ひいてはパワーユニットＰＵの出力軸を構成している。カウンタシャフト２３の端部はクランクケース１５の後部左側に突出し、上記チェーン式伝動機構を介して後輪１２に連結されている。
【００２６】
変速ギア群２４は、両シャフト２２，２３にそれぞれ支持された変速段数分のギアを有する。変速機２１は、両シャフト２２，２３間で変速ギア群２４の対応するギア対同士が常に噛み合った常時噛み合い式とされる。両シャフト２２，２３に支持された複数のギアは、対応するシャフトに対して回転可能なフリーギアと、対応するシャフトにスプライン嵌合するスライドギア（シフター）とに分類される。これらフリーギア及びスライドギアの一方には軸方向で凸のドグが、他方にはドグを係合させるべく軸方向で凹のスロットがそれぞれ設けられている。すなわち、変速機２１は、いわゆるドグミッションである。
【００２７】
図３を併せて参照し、変速機２１のメインシャフト２２及びカウンタシャフト２３は、クランクシャフト１４の後方で前後に並んで配置されている。メインシャフト２２の右端部には、クラッチアクチュエータ５０により作動するクラッチ装置２６が同軸配置されている。クラッチ装置２６は、例えば湿式多板クラッチであり、いわゆるノーマルオープンクラッチである。すなわち、クラッチ装置２６は、クラッチアクチュエータ５０からの油圧供給によって動力伝達可能な接続状態となり、クラッチアクチュエータ５０からの油圧供給がなくなると動力伝達不能な切断状態に戻る。
【００２８】
図２を参照し、クランクシャフト１４の回転動力は、クラッチ装置２６を介してメインシャフト２２に伝達され、メインシャフト２２から変速ギア群２４の任意のギア対を介してカウンタシャフト２３に伝達される。カウンタシャフト２３におけるクランクケース１５の後部左側に突出した左端部には、上記チェーン式伝動機構のドライブスプロケット２７が取り付けられている。
【００２９】
変速機２１の後上方には、変速ギア群２４のギア対を切り替えるチェンジ機構２５が収容されている。チェンジ機構２５は、両シャフト２２，２３と平行な中空円筒状のシフトドラム３６の回転により、その外周に形成されたリード溝のパターンに応じて複数のシフトフォーク３６ａを作動させ、変速ギア群２４における両シャフト２２，２３間の動力伝達に用いるギア対を切り替える。
【００３０】
チェンジ機構２５は、シフトドラム３６と平行なシフトスピンドル３１を有している。シフトスピンドル３１の回転時には、シフトスピンドル３１に固定されたシフトアーム３１ａがシフトドラム３６を回転させ、リード溝のパターンに応じてシフトフォーク３６ａを軸方向移動させて、変速ギア群２４の内の動力伝達可能なギア対を切り替える（すなわち、変速段を切り替える。）。
【００３１】
シフトスピンドル３１は、チェンジ機構２５を操作可能とするべくクランクケース１５の車幅方向外側（左方）に軸外側部３１ｂを突出させている。シフトスピンドル３１の軸外側部３１ｂには、シフト荷重センサ４２（シフト操作検知手段）が同軸に取り付けられている（図１参照）。シフトスピンドル３１の軸外側部３１ｂ（またはシフト荷重センサ４２の回転軸）には、揺動レバー３３が取り付けられている。揺動レバー３３は、シフトスピンドル３１（または回転軸）にクランプ固定される基端部３３ａから後方へ延び、その先端部３３ｂには、リンクロッド３４の上端部が上ボールジョイント３４ａを介して揺動自在に連結されている。リンクロッド３４の下端部は、運転者が足操作するシフトペダル３２に、下ボールジョイント（不図示）を介して揺動自在に連結されている。
【００３２】
図１に示すように、シフトペダル３２は、その前端部がクランクケース１５の下部に左右方向に沿う軸を介して上下揺動可能に支持されている。シフトペダル３２の後端部には、ステップ３２ａに載せた運転者の足先を掛けるペダル部が設けられ、シフトペダル３２の前後中間部には、リンクロッド３４の下端部が連結されている。
【００３３】
図２に示すように、シフトペダル３２、リンクロッド３４およびチェンジ機構２５を含んで、変速機２１の変速段ギアの切り替えを行うシフトチェンジ装置３５が構成されている。シフトチェンジ装置３５において、変速機ケース１７内で変速機２１の変速段を切り替える集合体（シフトドラム３６、シフトフォーク３６ａ等）を変速作動部３５ａ、シフトペダル３２への変速動作が入力されてシフトスピンドル３１の軸回りに回転し、この回転を変速作動部３５ａに伝達する集合体（シフトスピンドル３１、シフトアーム３１ａ等）を変速操作受け部３５ｂ、という。
【００３４】
ここで、自動二輪車１は、変速機２１の変速操作（シフトペダル３２の足操作）のみを運転者が行い、クラッチ装置２６の断接操作はシフトペダル３２の操作に応じて電気制御により自動で行うようにした、いわゆるセミオートマチックの変速システム（自動クラッチ式変速システム）を採用している。
【００３５】
＜変速システム＞
図４に示すように、上記変速システムは、クラッチアクチュエータ５０、ＥＣＵ６０（Electronic Control Unit、制御装置）および各種センサ４１〜４５を備えている。
ＥＣＵ（制御部）６０は、シフトドラム３６の回転角から変速段を検知するギアポジションセンサ４１、およびシフトスピンドル３１に入力された操作トルクを検知するシフト荷重センサ（例えばトルクセンサ）４２からの検知情報、ならびにスロットル開度センサ４３、車速センサ４４およびエンジン回転数センサ４５等からの各種の車両状態検知情報等に基づいて、クラッチアクチュエータ５０を作動制御するとともに、点火装置４６および燃料噴射装置４７を作動制御する。ＥＣＵ６０には、後述する油圧センサ５７，５８、並びにシフト操作検知スイッチ（シフトニュートラルスイッチ）４８からの検知情報も入力される。
また、ＥＣＵ６０は、油圧制御部（クラッチ制御部）６１を備えており、その機能については後述する。
【００３６】
図３を併せて参照し、クラッチアクチュエータ５０は、ＥＣＵ６０により作動制御されることで、クラッチ装置２６を断接する液圧を制御可能とする。クラッチアクチュエータ５０は、駆動源としての電気モータ５２（以下、単にモータ５２という。）と、モータ５２により駆動されるマスターシリンダ５１と、を備えている。クラッチアクチュエータ５０は、マスターシリンダ５１および油圧給排ポート５０ｐの間に設けられる油圧回路装置５３とともに、一体のクラッチ制御ユニット５０Ａを構成している。
ＥＣＵ６０は、予め設定された演算プログラムに基づいて、クラッチ装置２６を断接するためにスレーブシリンダ２８に供給する油圧の目標値（目標油圧）を演算し、下流側油圧センサ５８で検出されるスレーブシリンダ２８側の油圧（スレーブ油圧）が目標油圧に近づくように、クラッチ制御ユニット５０Ａを制御する。
【００３７】
マスターシリンダ５１は、シリンダ本体５１ａ内のピストン５１ｂをモータ５２の駆動によりストロークさせて、シリンダ本体５１ａ内の作動油をスレーブシリンダ２８に対して給排可能とする。図中符号５５はボールネジ機構としての変換機構、符号５４はモータ５２および変換機構５５に跨る伝達機構、符号５１ｅはマスターシリンダ５１に接続されるリザーバをそれぞれ示す。
【００３８】
油圧回路装置５３は、マスターシリンダ５１からクラッチ装置２６側（スレーブシリンダ２８側）へ延びる主油路（油圧給排油路）５３ｍの中間部位を開通又は遮断するバルブ機構（ソレノイドバルブ５６）を有している。油圧回路装置５３の主油路５３ｍは、ソレノイドバルブ５６よりもマスターシリンダ５１側となる上流側油路５３ａと、ソレノイドバルブ５６よりもスレーブシリンダ２８側となる下流側油路５３ｂと、に分けられる。油圧回路装置５３はさらに、ソレノイドバルブ５６を迂回して上流側油路５３ａと下流側油路５３ｂとを連通するバイパス油路５３ｃを備えている。
【００３９】
ソレノイドバルブ５６は、いわゆるノーマルオープンバルブである。バイパス油路５３ｃには、上流側から下流側への方向のみ作動油を流通させるワンウェイバルブ５３ｃ１が設けられている。ソレノイドバルブ５６の上流側には、上流側油路５３ａの油圧を検出する上流側油圧センサ５７が設けられている。ソレノイドバルブ５６の下流側には、下流側油路５３ｂの油圧を検出する下流側油圧センサ５８が設けられている。
【００４０】
図１に示すように、クラッチ制御ユニット５０Ａは、例えばリヤカウル９ａ内に収容されている。スレーブシリンダ２８は、クランクケース１５の後部左側に取り付けられている。クラッチ制御ユニット５０Ａとスレーブシリンダ２８とは、油圧配管５３ｅ（図３参照）を介して接続されている。
【００４１】
図２に示すように、スレーブシリンダ２８は、メインシャフト２２の左方に同軸配置されている。スレーブシリンダ２８は、クラッチアクチュエータ５０からの油圧供給時には、メインシャフト２２内を貫通するプッシュロッド２８ａを右方へ押圧する。スレーブシリンダ２８は、プッシュロッド２８ａを右方へ押圧することで、該プッシュロッド２８ａを介してクラッチ装置２６を接続状態へ作動させる。スレーブシリンダ２８は、油圧供給が無くなると、プッシュロッド２８ａの押圧を解除し、クラッチ装置２６を切断状態に戻す。
【００４２】
クラッチ装置２６を接続状態に維持するには油圧供給を継続する必要があるが、その分だけ電力を消費することとなる。そこで、図３に示すように、クラッチ制御ユニット５０Ａの油圧回路装置５３にソレノイドバルブ５６を設け、クラッチ装置２６側への油圧供給後にソレノイドバルブ５６を閉じている。これにより、クラッチ装置２６側への供給油圧を維持し、圧力低下分だけ油圧を補う（リーク分だけリチャージする）構成として、エネルギー消費を抑えている。
【００４３】
＜クラッチ制御＞
次に、クラッチ制御系の作用について図５のグラフを参照して説明する。図５のグラフにおいて、縦軸は下流側油圧センサ５８が検出する供給油圧、横軸は経過時間をそれぞれ示している。
自動二輪車１の停車時（アイドリング時）、ＥＣＵ６０で制御されるモータ５２およびソレノイドバルブ５６は、ともに電力供給が遮断された状態にある。すなわち、モータ５２は停止状態にあり、ソレノイドバルブ５６は開弁状態にある。このとき、スレーブシリンダ２８側（下流側）はタッチポイント油圧ＴＰより低い低圧状態となり、クラッチ装置２６は非締結状態（切断状態、解放状態）となる。この状態は、図５の領域Ａに相当する。
【００４４】
自動二輪車１の発進時、エンジン１３の回転数を上昇させると、モータ５２にのみ電力供給がなされ、マスターシリンダ５１から開弁状態のソレノイドバルブ５６を経てスレーブシリンダ２８へ油圧が供給される。スレーブシリンダ２８側（下流側）の油圧がタッチポイント油圧ＴＰ以上に上昇すると、クラッチ装置２６の締結が開始され、クラッチ装置２６が一部の動力を伝達可能な半クラッチ状態となる。これにより、自動二輪車１の滑らかな発進が可能となる。この状態は、図５の領域Ｂに相当する。
やがて、クラッチ装置２６の入力回転と出力回転との差が縮まり、スレーブシリンダ２８側（下流側）の油圧が下限保持油圧ＬＰに達すると、クラッチ装置２６の締結がロック状態に移行し、エンジン１３の駆動力が全て変速機２１に伝達される。この状態は、図５の領域Ｃに相当する。領域Ａ〜Ｃを、発進領域とする。
【００４５】
マスターシリンダ５１側からスレーブシリンダ２８側に油圧を供給する際には、ソレノイドバルブ５６を開弁状態とし、モータ５２に通電して正転駆動させて、マスターシリンダ５１を加圧する。これにより、スレーブシリンダ２８側の油圧がクラッチ締結油圧に調圧される。このとき、クラッチアクチュエータ５０の駆動は、下流側油圧センサ５８の検出油圧に基づきフィードバック制御される。
【００４６】
そして、スレーブシリンダ２８側（下流側）の油圧が上限保持油圧ＨＰに達すると、ソレノイドバルブ５６に電力供給がなされて該ソレノイドバルブ５６が閉弁作動するとともに、モータ５２への電力供給が停止されて油圧の発生が停止される。すなわち、上流側は油圧が解放して低圧状態となる一方、下流側が高圧状態（上限保持油圧ＨＰ）に維持される。これにより、マスターシリンダ５１が油圧を発生することなくクラッチ装置２６が締結状態に維持され、自動二輪車１の走行を可能とした上で電力消費を抑えることができる。
【００４７】
ここで、変速操作によっては、クラッチ装置２６に油圧を充填した直後に変速を行うような場合も有り得る。この場合、ソレノイドバルブ５６が閉弁作動して上流側を低圧状態とする前に、ソレノイドバルブ５６が開弁状態のままでモータ５２を逆転駆動し、マスターシリンダ５１を減圧するとともにリザーバ５１ｅを連通させ、クラッチ装置２６側の油圧をマスターシリンダ５１側へリリーフする。このとき、クラッチアクチュエータ５０の駆動は、上流側油圧センサ５７の検出油圧に基づきフィードバック制御される。
【００４８】
ソレノイドバルブ５６を閉弁し、クラッチ装置２６を締結状態に維持した状態でも、図５の領域Ｄのように、下流側の油圧は徐々に低下（リーク）する。すなわち、ソレノイドバルブ５６およびワンウェイバルブ５３ｃ１のシールの変形等による油圧漏れや温度低下といった要因により、下流側の油圧は徐々に低下する。
【００４９】
一方、図５の領域Ｅのように、温度上昇等により下流側の油圧が上昇する場合もある。下流側の細かな油圧変動であれば、不図示のアキュムレータにより吸収可能であり、油圧変動の度にモータ５２およびソレノイドバルブ５６を作動させて電力消費を増やすことはない。
図５の領域Ｅのように、下流側の油圧が上限保持油圧ＨＰまで上昇した場合、ソレノイドバルブ５６への電力供給を低下させる等により、ソレノイドバルブ５６を段階的に開弁状態として、下流側の油圧を上流側へリリーフする。
【００５０】
図５の領域Ｆのように、下流側の油圧が下限保持油圧ＬＰまで低下した場合、ソレノイドバルブ５６は閉弁したままでモータ５２への電力供給を開始し、上流側の油圧を上昇させる。上流側の油圧が下流側の油圧を上回ると、この油圧がバイパス油路５３ｃおよびワンウェイバルブ５３ｃ１を介して下流側に補給（リチャージ）される。下流側の油圧が上限保持油圧ＨＰになると、モータ５２への電力供給を停止して油圧の発生を停止する。これにより、下流側の油圧は上限保持油圧ＨＰと下限保持油圧ＬＰとの間に維持され、クラッチ装置２６が締結状態に維持される。領域Ｄ〜Ｆを、クルーズ領域とする。
【００５１】
自動二輪車１の停止時に変速機２１がニュートラルになると、モータ５２およびソレノイドバルブ５６への電力供給をともに停止する。これにより、マスターシリンダ５１は油圧発生を停止し、スレーブシリンダ２８への油圧供給を停止する。ソレノイドバルブ５６は開弁状態となり、下流側油路５３ｂ内の油圧がリザーバ５１ｅに戻される。以上により、スレーブシリンダ２８側（下流側）はタッチポイント油圧ＴＰより低い低圧状態となり、クラッチ装置２６が非締結状態となる。この状態は、図５の領域Ｇ，Ｈに相当する。領域Ｇ、Ｈを、停止領域とする。
【００５２】
一方、自動二輪車１の停止時に変速機２１がインギアのままだと、スレーブシリンダ２８側に待機油圧ＷＰが付与された待機状態となる。
待機油圧ＷＰは、クラッチ装置２６の接続を開始するタッチポイント油圧ＴＰよりも若干低い油圧であり、クラッチ装置２６を接続しない油圧（図５の領域Ａ，Ｈで付与する油圧）である。待機油圧ＷＰの付与により、クラッチ装置２６の無効詰め（各部のガタや作動反力のキャンセル並びに油圧経路への予圧の付与等）が可能となり、クラッチ装置２６の接続時の作動応答性が高まる。
【００５３】
＜変速制御＞
次に、自動二輪車１の変速制御について説明する。
本実施形態の自動二輪車１は、変速機２１のギアポジションが１速のインギア状態にあり、かつ車速が停車に相当する設定値未満にあるインギア停車状態において、シフトペダル３２に対する１速からニュートラルへのシフト操作を行う際に、スレーブシリンダ２８に供給する待機油圧ＷＰを低下させる制御を行う。
【００５４】
ここで、自動二輪車１が停車状態であり、変速機２１のギアポジションがニュートラル以外の何れかの変速段位置にある場合、すなわち、変速機２１がインギア停車状態にある場合には、スレーブシリンダ２８に予め設定した待機油圧ＷＰが供給される。
【００５５】
待機油圧ＷＰは、通常時（シフトペダル３２の変速操作が検知されていない非検知状態の場合）は、標準待機油圧である第一設定値Ｐ１（図５参照）に設定される。これにより、クラッチ装置２６が、上記無効詰めがなされた待機状態となり、クラッチ締結時の応答性が高まる。つまり、運転者がスロットル開度を大きくしてエンジン１３の回転数を上昇させると、スレーブシリンダ２８への油圧供給により直ちにクラッチ装置２６の締結が開始されて、自動二輪車１の速やかな発進加速が可能となる。
【００５６】
自動二輪車１は、シフトペダル３２に対する運転者のシフト操作を検知するために、シフト荷重センサ４２とは別にシフト操作検知スイッチ４８を備えている。
そして、インギア停車状態において、シフト操作検知スイッチ４８が１速からニュートラルへのシフト操作を検知した際には、油圧制御部６１が待機油圧ＷＰを、変速操作を行う前の第一設定値Ｐ１よりも低い第二設定値Ｐ２（低圧待機油圧、図５参照）に設定する制御を行う。
【００５７】
変速機２１がインギア状態にある場合、通常時は第一設定値Ｐ１相当の標準待機油圧がスレーブシリンダ２８に供給されるため、クラッチ装置２６には僅かながらいわゆる引きずりが生じる。このとき、変速機２１のドグクラッチにおける互いに噛み合うドグおよびスロット（ドグ孔）が回転方向で押圧し合い、係合解除の抵抗を生じさせてシフト操作を重くすることがある。このような場合に、スレーブシリンダ２８に供給する待機油圧ＷＰを第二設定値Ｐ２相当の低圧待機油圧に低下させると、ドグおよびスロットの係合が解除しやすくなり、シフト操作を軽くすることとなる。
【００５８】
＜シフト操作検知スイッチ＞
図６、図７に示すように、シフト操作検知スイッチ４８は、シフトスピンドル３１の回転中心（軸心）Ｃ１から径方向外側に延びるシフトアーム３１ａの外周端部に、径方向で対向するように設けられている。図６中矢印ＳＵＰはシフトスピンドル３１の回転方向におけるシフトアップ側、矢印ＳＤＮはシフトスピンドル３１の回転方向におけるシフトダウン側をそれぞれ示す。
【００５９】
図６を参照し、シフトアーム３１ａは、軸心Ｃ１を通る延出基準線Ｌ１に沿って延びている。シフト操作検知スイッチ４８は、変速機ケース１７側に支持されており、このシフト操作検知スイッチ４８に対してシフトアーム３１ａが相対回転する。
シフト操作検知スイッチ４８は円柱状をなし、中心線Ｌ２をシフトスピンドル３１の径方向に沿わせて配置されている。シフト操作検知スイッチ４８は、中心線Ｌ２に沿ってストロークする検出子４８ｓを有している。検出子４８ｓは、シフトアーム３１ａの外周端部に設けられた被検知部材４９に向けて突出している。
【００６０】
シフトアーム３１ａは、シフト操作検知スイッチ４８の中心線Ｌ２に延出基準線Ｌ１の延長線を一致させる位置を中立位置Ｄ１とする。シフトアーム３１ａは、不図示のリターンスプリングにより中立位置Ｄ１に向けて付勢されている。シフトアーム３１ａの外周端部には、シフト操作検知スイッチ４８に対向して、被検知部材４９が設けられている。被検知部材４９は、径方向外側に凸のＶ字形状をなし、延出基準線Ｌ１に関して対称形状に設けられている。被検知部材４９は、径方向外側に向けた突出頂部４９ｔと、シフトスピンドル３１の回転方向で突出頂部４９ｔの両側に形成された一対の傾斜面部４９ｓと、を有している。一対の傾斜面部４９ｓは、互いに略直角に配置されている。突出頂部４９ｔには、シフト操作検知スイッチ４８の検出子４８ｓの先端球面と同等半径の丸面取りがなされている。
【００６１】
図６に示すように、シフトアーム３１ａは、シフトペダル３２からの操作荷重が作用していない状態では、中立位置Ｄ１に配置される。このとき、シフト操作検知スイッチ４８の検出子４８ｓに対し、被検知部材４９の突出頂部４９ｔが径方向で正対する。これにより、シフト操作検知スイッチ４８の検出子４８ｓが没入状態となり、シフト操作検知スイッチ４８がＯＮ又はＯＦＦ状態（図ではＯＮ状態）となる。
【００６２】
一方、図８に示すように、シフトペダル３２に操作荷重が作用してシフトスピンドル３１が回転すると、シフトアーム３１ａも一体に回転する。図８では、シフトスピンドル３１およびシフトアーム３１ａがシフトアップ側に回転している。シフトアーム３１ａが回転すると、被検知部材４９の突出頂部４９ｔがシフト操作検知スイッチ４８の検出子４８ｓに対して周方向に変位する。すると、検出子４８ｓが一対の傾斜面部４９ｓの一方に摺接しながら突出状態に変化し、シフト操作検知スイッチ４８のＯＮ、ＯＦＦ状態を切り替える。これにより、ＥＣＵ６０がシフトスピンドル３１の中立位置Ｄ１からの回転、すなわちシフトペダル３２への変速操作を検知する。このときのシフトアーム３１ａの回転位置（シフト操作検知位置）Ｄ２は、中立位置Ｄ１から２〜３度の小角度θ１だけ回転した位置である。
なお、図６、図８では検出子４８ｓの没入でＯＮ、突出でＯＦＦのようにＯＮ・ＯＦＦを検知することが記載されているが、検出子４８ｓが傾斜面部４９ｓに接触することでＯＮ、接触しないことでＯＦＦのようにＯＮ・ＯＦＦを検知することも可能である。
【００６３】
このように、シフトスピンドル３１よりも外周側に延びるシフトアーム３１ａの外周端部に、突出頂部４９ｔを有した被検知部材４９を設けることで、シフト操作検知スイッチ４８においては、シフトペダル３２の変速操作によるシフトスピンドル３１の僅かな回転を高感度に検知する。また、シフト操作荷重から変速操作を検知する場合に比して、シフトスピンドル３１に固定されたシフトアーム３１ａの回転位置から変速操作を検知することでも、高感度な検知が可能となる。また、シフトスピンドル３１とは別体をなす作動部材（シフトドラム３６等）の変位を検知する場合に比して、変速操作をよりダイレクトに検知可能である。
【００６４】
＜クラッチ制御モード＞
図１３に示すように、本実施形態のクラッチ制御装置６０Ａは、三種のクラッチ制御モードを有している。クラッチ制御モードは、自動制御を行うオートモードＭ１、手動操作を行うマニュアルモードＭ２、および一時的な手動操作を行うマニュアル介入モードＭ３、の三種のモード間で、クラッチ制御モード切替スイッチ５９（図４参照）およびクラッチレバー（クラッチ操作子）４ｂ（図１参照）の操作に応じて適宜遷移する。なお、マニュアルモードＭ２およびマニュアル介入モードＭ３を含む対象をマニュアル系Ｍ２Ａという。
【００６５】
オートモードＭ１は、自動発進・変速制御により走行状態に適したクラッチ容量を演算してクラッチ装置２６を制御するモードである。マニュアルモードＭ２は、乗員によるクラッチ操作指示に応じてクラッチ容量を演算してクラッチ装置２６を制御するモードである。マニュアル介入モードＭ３は、オートモードＭ１中に乗員からのクラッチ操作指示を受け付け、クラッチ操作指示からクラッチ容量を演算してクラッチ装置２６を制御する一時的なマニュアル操作モードである。なお、マニュアル介入モードＭ３中に乗員がクラッチレバー４ｂの操作をやめる（完全にリリースする）と、オートモードＭ１に戻るよう設定されている。
【００６６】
本実施形態のクラッチ制御装置６０Ａは、エンジン１３の回転駆動力で不図示のオイルポンプを駆動してクラッチ制御油圧を発生する。このため、クラッチ制御装置６０Ａは、システム起動時には、オートモードＭ１でクラッチオフの状態（切断状態）から制御を始める。また、クラッチ制御装置６０Ａは、エンジン１３停止時にはクラッチ操作が不要なので、オートモードＭ１でクラッチオフに戻るよう設定されている。
【００６７】
オートモードＭ１は、クラッチ制御を自動で行うことが基本であり、レバー操作レスで自動二輪車１を走行可能とする。オートモードＭ１では、スロットル開度、エンジン回転数、車速およびシフトセンサ出力により、クラッチ容量をコントロールしている。これにより、自動二輪車１をスロットル操作のみでエンストすることなく発進可能であり、かつシフト操作のみで変速可能である。ただし、アイドリング相当の極低速時には自動でクラッチ装置２６が切断することがある。また、オートモードＭ１では、クラッチレバー４ｂを握ることでマニュアル介入モードＭ３となり、クラッチ装置２６を任意に切ることも可能である。
【００６８】
一方、マニュアルモードＭ２では、乗員によるレバー操作により、クラッチ容量をコントロールする。オートモードＭ１とマニュアルモードＭ２とは、停車中にクラッチ制御モード切替スイッチ５９（図４参照）を操作することで切り替え可能である。なお、クラッチ制御装置６０Ａは、マニュアル系Ｍ２Ａ（マニュアルモードＭ２又はマニュアル介入モードＭ３）への遷移時にレバー操作が有効であることを示すインジケータを備えてもよい。
【００６９】
マニュアルモードＭ２は、クラッチ制御を手動で行うことが基本であり、クラッチレバー４ｂの作動角度に応じてクラッチ油圧を制御可能である。これにより、乗員の意思のままにクラッチ装置２６の断接をコントロール可能であり、かつアイドリング相当の極低速時にもクラッチ装置２６を接続して走行可能である。ただし、レバー操作によってはエンストすることがあり、かつスロットル操作のみでの自動発進も不可である。なお、マニュアルモードＭ２であっても、シフト操作時にはクラッチ制御が自動で介入する。
【００７０】
オートモードＭ１では、クラッチアクチュエータ５０により自動でクラッチ装置２６の断接が行われるが、クラッチレバー４ｂに対するマニュアルクラッチ操作が行われることで、クラッチ装置２６の自動制御に一時的に手動操作を介入させることが可能である（マニュアル介入モードＭ３）。
【００７１】
図１２に示すように、クラッチレバー４ｂの操作量（回動角度）とクラッチレバー操作量センサ（クラッチ操作量センサ）４ｃの出力値とは、互いに比例関係（相関関係）にある。ＥＣＵ６０は、クラッチレバー操作量センサ４ｃの出力値に基づいて、クラッチ装置２６の目標油圧を演算する。
【００７２】
図１１Ａを併せて参照し、クラッチレバー４ｂの操作量（クラッチレバー角度）に基づき目標油圧を演算しても、スレーブシリンダ２８に生じる実際の油圧（スレーブ油圧）は、目標油圧に遅れて追従する。すなわち、クラッチアクチュエータ５０とスレーブシリンダ２８との間の油圧配管に圧損が生じることから、レバー操作量に基づく目標油圧に対し、制御対象油圧であるスレーブ油圧（ひいてはクラッチギャップ）の追従に遅れが生じる。このように、目標油圧に対して制御対象油圧の遅れが発生すると、運転者がクラッチ装置２６の応答性の悪さを感じることがある。この点を解決する制御については後述する。
【００７３】
＜マニュアルクラッチ操作＞
図１に示すように、操向ハンドル４ａの左グリップの基端側（車幅方向内側）には、クラッチ手動操作子としてのクラッチレバー４ｂが取り付けられている。クラッチレバー４ｂは、クラッチ装置２６とケーブルや油圧等を用いた機械的な接続がなく、ＥＣＵ６０にクラッチ作動要求信号を発信する操作子として機能する。すなわち、自動二輪車１は、クラッチレバー４ｂとクラッチ装置２６とを電気的に接続したクラッチバイワイヤシステムを採用している。
【００７４】
図４を併せて参照し、クラッチレバー４ｂには、クラッチレバー４ｂの操作量（回動角度）を検出するクラッチレバー操作量センサ４ｃが一体的に設けられている。クラッチレバー操作量センサ４ｃは、クラッチレバー４ｂの操作量を電気信号に変換して出力する。クラッチレバー４ｂの操作が有効な状態（マニュアル系Ｍ２Ａ）において、ＥＣＵ６０は、クラッチレバー操作量センサ４ｃの出力に基づき、クラッチアクチュエータ５０を駆動する。なお、クラッチレバー４ｂとクラッチレバー操作量センサ４ｃとは、相互に一体でも別体でもよい。
【００７５】
自動二輪車１は、クラッチ操作の制御モードを切り替えるクラッチ制御モード切替スイッチ５９を備えている。クラッチ制御モード切替スイッチ５９は、所定の条件下において、クラッチ制御を自動で行うオートモードＭ１と、クラッチレバー４ｂの操作に応じてクラッチ制御を手動で行うマニュアルモードＭ２と、の切り替えを任意に行うことを可能とする。例えば、クラッチ制御モード切替スイッチ５９は、操向ハンドル４ａに取り付けられたハンドルスイッチに設けられている。これにより、通常の運転時に乗員が容易に操作することができる。
【００７６】
図１２を併せて参照し、クラッチレバー４ｂは、乗員による握り込み操作がされることなく解放されてクラッチ接続側に回動した解放状態と、乗員の握り込みによってグリップ側（クラッチ切断側）に回動してグリップに突き当たった突き当て状態と、の間で回動可能である。クラッチレバー４ｂは、乗員による握り込み操作から解放されると、初期位置である解放状態に戻るよう付勢されている。
【００７７】
例えば、クラッチレバー操作量センサ４ｃは、クラッチレバー４ｂを完全に握り込んだ状態（突き当て状態）で出力電圧をゼロとし、この状態からクラッチレバー４ｂのリリース動作（クラッチ接続側への操作）がなされることに応じて、出力電圧を増加させるよう構成されている。本実施形態では、クラッチレバー操作量センサ４ｃの出力電圧のうち、クラッチレバー４ｂの握り始めに存在するレバー遊び分と、握り込んだレバーとグリップとの間に指が入る程度の隙間を確保した突き当て余裕分と、を除いた範囲を、有効電圧の範囲（クラッチレバー４ｂの有効操作範囲）に設定している。
【００７８】
具体的に、クラッチレバー４ｂの突き当て状態から突き当て余裕分だけクラッチレバー４ｂをリリースした操作量Ｓ１から、レバー遊び分が始まるまでクラッチレバー４ｂをリリースした操作量Ｓ２までの間を、有効電圧の下限値Ｅ１〜上限値Ｅ２の範囲に対応するように設定している。この下限値Ｅ１〜上限値Ｅ２の範囲は、マニュアル操作クラッチ容量の演算値のゼロ〜ＭＡＸの範囲に比例関係で対応している。これにより、機械的ガタやセンサばらつき等の影響を低減し、手動操作によって要求されるクラッチ駆動量の信頼性を高めることができる。なお、クラッチレバー４ｂの操作量Ｓ１のときを有効電圧の上限値Ｅ２とし、操作量Ｓ２のときを下限値Ｅ１とする設定でもよい。
【００７９】
＜与圧制御＞
図１１Ｂ、図１３を参照し、本実施形態のクラッチ制御装置６０Ａは、クラッチレバー操作によるマニュアル介入モードＭ３でのクラッチ切断操作時に、以下に詳述する与圧制御を行う。与圧制御は、クラッチレバー操作量センサ４ｃの出力値に基づいて、クラッチレバー４ｂの操作量が予め定めた所定値に達した場合（クラッチレバー４ｂが所定の回動角度（介入判断レバー角度θ２）に達した場合）に、クラッチ容量の制御目標値（目標油圧）を、クラッチレバー４ｂの操作量に応じた対操作目標油圧（対操作目標値）Ｐｖに対して、クラッチ切断側に変化した接続下限目標油圧（接続下限目標値）Ｐｘに設定する制御である。
【００８０】
介入判断レバー角度（介入判断操作量）θ２は、クラッチレバー４ｂを遊び＋α分の角度だけ操作したときのレバー操作角度に相当する。接続下限目標油圧Ｐｘは、クラッチ装置２６が切断を開始する直前（滑りを生じる直前）の目標油圧に相当する。クラッチレバー４ｂの操作量に応じた対操作目標油圧Ｐｖは、クラッチレバー４ｂを介入判断レバー角度θ２からさらに所定角度だけ握り込んだときに、接続下限目標油圧Ｐｘに達する。このときのレバー位置をクラッチ切断位置とする。
【００８１】
本実施形態では、対操作目標油圧Ｐｖに対して、クラッチ容量の制御目標値を、クラッチレバー４ｂの操作よりも早く接続下限目標油圧Ｐｘに変化（低下）させておく。すると、クラッチレバー４ｂがクラッチ切断位置に達する前に、クラッチ装置２６が予め切断直前の状態となる。このため、クラッチレバー４ｂが切断位置に達したときに、クラッチ装置２６の切断の遅れが抑えられ、マニュアルクラッチ操作の介入時におけるクラッチ装置２６の切断性能（応答性）を向上させる。
【００８２】
次に、上記与圧制御時にＥＣＵ６０で行う処理の一例について、図９のフローチャートを参照して説明する。この制御フローは、オートモードＭ１が選択されている場合に規定の制御周期（１〜１０ｍｓｅｃ）で繰り返し実行される。
【００８３】
図９に示すように、ＥＣＵ６０は、オートモードＭ１が選択されているとき、自動クラッチ制御を実行する（ステップＳ１１）。
次いで、ＥＣＵ６０は、クラッチレバー４ｂの回動角度が予め定めた所定値（介入判断レバー角度θ２、遊び＋α分の角度に相当）を越える（又は所定値以上）であるか否かを判定する（ステップＳ１２）。ステップＳ１２でＮＯ（回動角度が所定値以下（又は未満））の場合、ステップＳ１１に戻る（又は一旦処理を終了する）。ステップＳ１２でＹＥＳ（回動角度が所定値を越える（又は所定値以上））の場合、マニュアル介入モードＭ３に移行する。
このとき、まず、ステップＳ１３に移行し、予め設定された与圧油圧（接続下限目標油圧Ｐｘ）をクラッチ目標油圧（制御目標油圧）に設定する。上記与圧油圧は、クラッチ装置２６が滑りを生じない下限の油圧であり、上記下限保持油圧ＬＰに相当する。
【００８４】
ＥＣＵ６０は、ステップＳ１３の後、ステップＳ１４に移行し、クラッチレバー４ｂの回動角度に基づく目標油圧（対操作目標油圧Ｐｖ）が予め定めた与圧油圧未満（又は以下）になったか否かを判定する。ステップＳ１４でＮＯ（対操作目標油圧Ｐｖが与圧油圧以上（又は与圧油圧を越える））の場合、ステップＳ１３に戻る（又は一旦処理を終了する）。ステップＳ１４でＹＥＳ（対操作目標油圧Ｐｖが与圧油圧未満（又は以下））の場合、ステップＳ１５に移行し、クラッチレバー４ｂの回動角度に基づく対操作目標油圧Ｐｖをクラッチ目標油圧に設定する。これにより、マニュアルクラッチ制御に移行する。
【００８５】
ＥＣＵ６０は、ステップＳ１５の後、ステップＳ１６に移行し、クラッチレバー４ｂの回動角度が予め定めた所定値（介入判断レバー角度θ２）未満（又は以下）になったか否かを判定する。ステップＳ１６でＮＯ（回動角度が所定値以上（又は所定値を越える））の場合、ステップＳ１５に戻る（又は一旦処理を終了する）。ステップＳ１６でＹＥＳ（回動角度が所定値未満（又は以下））の場合、クラッチ介入操作が終了したものとして自動クラッチ制御に戻る（ステップＳ１７）。なお、ステップＳ１５の後に後述の接続準備制御を行うことも可能である。
【００８６】
＜接続準備制御＞
図１１Ｂ、図１３を参照し、本実施形態のクラッチ制御装置６０Ａでは、クラッチレバー操作によるマニュアル介入モードＭ３でのクラッチ切断操作時に、下流側油圧センサ５８により検知したスレーブ油圧が予め定めた切断判断油圧（切断判断値）Ｐｚに達した場合には、以下に詳述する接続準備与圧制御を行う。接続準備制御は、クラッチ容量の制御目標値（目標油圧）を、クラッチレバー４ｂの操作量に応じた対操作目標油圧Ｐｖに対して、切断判断油圧Ｐｚに近付けた接続準備目標油圧（接続準備目標値）Ｐｙに設定する制御である。
【００８７】
切断判断油圧Ｐｚは、クラッチ装置２６が十分切れた（トルク伝達がない）と判断できる油圧であり、かつクラッチ装置２６の接続開始直前の油圧でもある。接続準備目標油圧Ｐｙは、クラッチ装置２６が接続を開始する直前（トルク伝達を生じる直前）の目標油圧に相当し、切断判断油圧Ｐｚと近似する（切断判断油圧Ｐｚ＋α）。クラッチレバー４ｂの操作量に応じた対操作目標油圧Ｐｖは、クラッチレバー４ｂを完全に握り込むと、切断判断油圧Ｐｚを下回る。スレーブ油圧は、対操作目標油圧Ｐｖに遅れて切断判断油圧Ｐｚに向けて低下する。スレーブ油圧が切断判断油圧Ｐｚに達すると、切断判断油圧Ｐｚを下回った対操作目標油圧Ｐｖに対して目標油圧を急峻に増加させ、目標油圧を接続準備目標油圧Ｐｙに設定する。クラッチレバー４ｂは、完全に握り込んだ状態からリリース方向（クラッチ接続方向）に所定量回動すると、クラッチ接続前位置に戻る。クラッチ接続前位置は、対操作目標油圧Ｐｖが接続準備目標油圧Ｐｙとなるレバー位置である。
【００８８】
本実施形態では、クラッチ容量の制御目標値が、クラッチ装置２６が接続を開始する直前の接続準備目標油圧Ｐｙに維持されるように、クラッチレバー４ｂの操作と切り離して変化（増加）させておく。すると、クラッチレバー４ｂが握り込まれた位置からクラッチ接続前位置に戻る前に、目標油圧が予め接続準備目標油圧Ｐｙに変化する。このため、クラッチレバー４ｂが接続位置に戻ったときに、クラッチ装置２６の接続の遅れが抑えられ、マニュアルクラッチ操作の介入時におけるクラッチ装置２６の接続性能（応答性）を向上させる。
【００８９】
次に、上記接続準備制御時にＥＣＵ６０で行う処理の一例について、図１０のフローチャートを参照して説明する。この制御フローは、オートモードＭ１が選択されている場合に規定の制御周期（１〜１０ｍｓｅｃ）で繰り返し実行される。
【００９０】
図１０に示すように、ＥＣＵ６０は、オートモードＭ１が選択されているとき、自動クラッチ制御を実行する（ステップＳ２１）。
次いで、ＥＣＵ６０は、クラッチレバー４ｂの回動角度が予め定めた所定値（介入判断レバー角度θ２、遊び＋α分の角度に相当）を越える（又は所定値以上）であるか否かを判定する（ステップＳ２２）。ステップＳ２２でＮＯ（回動角度が所定値以下（又は未満））の場合、ステップＳ２１に戻る（又は一旦処理を終了する）。ステップＳ２２でＹＥＳ（回動角度が所定値を越える（又は所定値以上））の場合、マニュアル介入モードＭ３に移行する。
このとき、図１０では、ステップＳ２３に移行し、クラッチレバー４ｂの回動角度に基づく対操作目標油圧Ｐｖをクラッチ目標油圧（制御目標油圧）に設定する。これにより、マニュアルクラッチ制御に移行する。なお、ステップＳ２２の後に前述の与圧制御を行うことも可能である。
【００９１】
ＥＣＵ６０は、ステップＳ２３の後、ステップＳ２４に移行し、スレーブシリンダ２８の油圧（スレーブ油圧）が予め定めた下限油圧（切断判断油圧Ｐｚ）未満（又は以下）になったか否かを判定する。上記下限油圧は、クラッチ装置２６が十分切れた（トルク伝達がない）と判断できる油圧である。ステップＳ２４でＮＯ（スレーブ油圧が下限油圧以上（又は下限油圧を越える））の場合、ステップＳ２３に戻る（又は一旦処理を終了する）。ステップＳ２４でＹＥＳ（スレーブ油圧が下限油圧未満（又は以下））の場合、クラッチ装置２６が十分切れたものとしてステップＳ２５に移行する。ステップＳ２５では、クラッチ目標油圧を下限油圧＋α（接続準備目標油圧Ｐｙ）に設定する。
【００９２】
ＥＣＵ６０は、ステップＳ２５の後、ステップＳ２６に移行し、クラッチレバー４ｂの回動角度に基づく対操作目標油圧Ｐｖが下限油圧を越える（又は下限油圧以上）になったか否かを判定する。ステップＳ２６でＮＯ（対操作目標油圧Ｐｖが下限油圧以下（又は未満））の場合、ステップＳ２５に戻る（又は一旦処理を終了する）。ステップＳ２６でＹＥＳ（対操作目標油圧Ｐｖが下限油圧を越える（又は下限油圧以上））の場合、ステップＳ２７に移行し、クラッチレバー４ｂの回動角度に基づく対操作目標油圧Ｐｖをクラッチ目標油圧に設定する。
【００９３】
ＥＣＵ６０は、ステップＳ２７の後、ステップＳ２８に移行し、クラッチレバー４ｂの回動角度が予め定めた所定値（介入判断レバー角度θ２）未満（又は以下）になったか否かを判定する。ステップＳ２８でＮＯ（回動角度が所定値以上（又は所定値を越える））の場合、ステップＳ２７に戻る（又は一旦処理を終了する）。ステップＳ２８でＹＥＳ（回動角度が所定値未満（又は以下））の場合、クラッチ介入操作が終了したものとして自動クラッチ制御に戻る（ステップＳ２９）。
【００９４】
＜クラッチ制御パラメータの時間変化＞
図１１Ａ、Ｂを参照し、クラッチ制御パラメータの時間変化の一例について説明する。
図１１Ａの比較例を参照し、オートモードＭ１でのクラッチ締結時に、クラッチレバー４ｂの握り込み操作がなされると、クラッチレバー４ｂの回動角度が増加する。このクラッチレバー４ｂの操作（回動角度の増加）と連動するように、クラッチアクチュエータ５０が作動し、クラッチレバー４ｂの操作量（回動角度）の変化に合わせて、クラッチ制御の目標油圧（スレーブ油圧の制御目標値）を減少させる。すなわち、対操作目標油圧Ｐｖを減少させる。これにより、クラッチ装置２６を切断方向に作動させる。
【００９５】
また、クラッチレバー４ｂの握り込みからの解放操作がなされると、クラッチレバー４ｂの回動角度が減少する。このクラッチレバー４ｂの操作（回動角度の減少）と連動するように、クラッチアクチュエータ５０が作動し、クラッチレバー４ｂの操作量（回動角度）の変化に合わせて、クラッチ制御の目標油圧（スレーブ油圧の制御目標値）を増加させる。すなわち、対操作目標油圧Ｐｖを増加させる。これにより、クラッチ装置２６を接続方向に作動させる。
【００９６】
このとき、目標油圧（対操作目標油圧Ｐｖ）は、レバー角度の変化量に比例して変化するように制御される。換言すれば、目標油圧は、レバー角度に対して１：１の変化となるように制御される。
一方、実際の制御対象であるスレーブ油圧（およびクラッチギャップ）は、クラッチアクチュエータ５０からスレーブシリンダ２８までの油圧経路内の抵抗（圧損）の影響により、目標油圧に遅れて変化する。これにより、クラッチレバー４ｂの操作に対するクラッチ装置２６の僅かな作動遅れが生じ、運転者がクラッチ装置２６の切れの悪さ、およびつながりの悪さを感じることがある。
【００９７】
図１１Ｂを参照し、本実施形態では、レバー切断操作直後に、目標油圧を、レバー角度に対する１：１の変化ではなく、クラッチ容量が下限油圧相当の接続下限目標油圧Ｐｘになるまで、対操作目標油圧Ｐｖよりも早く変化（低下）させておく制御（与圧制御）を行う。
【００９８】
例えば、オートモードＭ１でクラッチ介入操作がなされる場合、クラッチ締結状態からクラッチレバー４ｂによる切断操作を検知し、レバー角度が予め定めた所定値（介入判断レバー角度θ２）に達すると（タイミングｔ１）、上記与圧制御に移行する。すなわち、上記タイミングｔ１の後、クラッチ装置２６が滑らない範囲でクラッチ容量を低下させるように、目標油圧を下限油圧相当の接続下限目標油圧Ｐｘになるまで下降させる。
【００９９】
これにより、対操作目標油圧Ｐｖに追従するよりも早いタイミングで、スレーブ油圧がクラッチ装置２６を切り始める直前の油圧（接続下限目標油圧Ｐｘ）に変化し、クラッチ装置２６が切断開始直前の状態（切断準備状態）に変化する。すなわち、クラッチ油圧経路の圧損があっても、目標油圧に対するスレーブ油圧の追従の遅れを抑え、クラッチ装置２６の作動の遅れを抑えることが可能となる。このため、レバー角度に対する１：１の油圧コントロールを維持する場合に比べて、クラッチ切断に要する時間が短縮され、切断操作時におけるクラッチ装置２６の切れの悪さを運転者が感じ難くなる。換言すれば、クラッチ装置２６の切断応答性を向上させることができる。
【０１００】
その後、対操作目標油圧Ｐｖが与圧油圧に達した時点（タイミングｔ２）で、上記与圧制御を終了し、対操作目標油圧Ｐｖに基づく油圧コントロールに復帰する。これにより、レバー操作に応じて比例してクラッチ装置２６を切断することが可能となる。マニュアル介入制御の前後では、クラッチ容量の制御目標値は、マニュアルクラッチ操作から切り離した自動制御目標油圧（自動制御目標値）Ｐａに設定される。
【０１０１】
また、図１１Ａの比較例を参照し、クラッチレバー４ｂを握っている間は、常にクラッチ装置２６が解放方向にコントロールされるので、クラッチ装置２６が切断してから（スレーブ油圧が切断判断油圧Ｐｚまで低下してから）、さらにスレーブ油圧が低下してしまう。すると、クラッチ装置２６の再接続時に、スレーブ油圧が接続油圧に上昇するまで時間がかかり、目標油圧との乖離も大きくなる。
【０１０２】
図１１Ｂを参照し、本実施形態では、スレーブ油圧が予め定めた切断判断油圧Ｐｚ（クラッチ装置２６が十分切れたと判断する油圧）に達すると、レバー角度によらずクラッチ装置２６の解放方向へのコントロール（スレーブ油圧の低下制御）を停止し、目標油圧を予め定めた所定値（接続準備目標油圧Ｐｙ）に維持する制御（接続準備制御）を行う。
【０１０３】
例えば、オートモードＭ１でクラッチ介入操作がなされる場合、クラッチレバー４ｂによる切断操作がなされ、対操作目標油圧Ｐｖに追従するスレーブ油圧が予め定めた所定値（切断判断油圧Ｐｚ）に達すると（タイミングｔ３）、上記接続準備制御に移行する。すなわち、上記タイミングｔ３において、スレーブ油圧が切断判断油圧Ｐｚに達した後、それ以上クラッチ容量を低下させいないように、目標油圧を切断判断油圧Ｐｚ＋α相当の接続準備目標油圧Ｐｙに上昇させる。
【０１０４】
これにより、クラッチ装置２６の切断後にさらにスレーブ油圧が低下することが抑えられ、クラッチ装置２６の再接続時に要する時間が短縮される。すなわち、クラッチ油圧経路の圧損があっても、目標油圧に対するスレーブ油圧の追従の遅れを抑え、クラッチ装置２６の作動の遅れを抑えることが可能となる。このため、レバー角度に対する１：１の油圧コントロールを維持する場合に比べて、クラッチ再接続に要する時間が短縮され、接続操作時におけるクラッチ装置２６のつながりの悪さを運転者が感じ難くなる。換言すれば、クラッチ装置２６の接続応答性を向上させることができる。
【０１０５】
その後、対操作目標油圧Ｐｖが切断判断油圧Ｐｚを上回った時点（タイミングｔ４）で、上記接続準備制御を終了し、対操作目標油圧Ｐｖに基づく油圧コントロールに復帰する。これにより、レバー操作に応じて比例してクラッチ装置２６を接続することが可能となる。マニュアル介入制御の前後では、クラッチ容量の制御目標値は、マニュアルクラッチ操作から切り離した自動制御目標油圧Ｐａに設定される。
【０１０６】
制御装置により演算される目標油圧が切断判断油圧Ｐｚに達した時点で、目標油圧を切断判断油圧Ｐｚ相当の所定値に設定するという制御も考えられるが、レバー操作に遅れて追従するスレーブ油圧が切断判断油圧Ｐｚに到達することが遅れてしまう。すなわち、油路経路のフリクション（オイル流抵抗）があることから、目標油圧を切断判断油圧Ｐｚよりも下げてクラッチアクチュエータ５０を駆動しないと、スレーブ油圧が切断判断油圧Ｐｚに到達することが遅れてしまう。
【０１０７】
以上説明したように、上記実施形態のクラッチ制御装置６０Ａは、エンジン１３と、変速機２１と、エンジン１３と変速機２１との間の動力伝達を断接するクラッチ装置２６と、クラッチ装置２６を駆動してクラッチ容量を変更するクラッチアクチュエータ５０と、クラッチ容量の制御目標値を演算するＥＣＵ６０と、クラッチ装置２６を手動で操作可能とするクラッチレバー４ｂと、クラッチレバー４ｂの操作量を電気信号に変換するクラッチレバー操作量センサ４ｃと、を備え、ＥＣＵ６０は、クラッチアクチュエータ５０によるクラッチ装置２６の自動制御中に、クラッチレバー４ｂによるマニュアルクラッチ操作の介入を可能とし、ＥＣＵ６０は、マニュアルクラッチ操作の介入によるクラッチ切断操作時に、クラッチレバー操作量センサ４ｃの出力値に基づくクラッチレバー４ｂの操作量が、予め定めた所定値（介入判断レバー角度θ２）に達した場合には、クラッチ容量の制御目標値を、クラッチレバー４ｂの操作量に応じた対操作目標油圧Ｐｖに対してクラッチ切断側に変化した接続下限目標油圧Ｐｘに設定する。
【０１０８】
この構成によれば、クラッチ容量の制御目標値を、クラッチ装置２６が切断を開始する直前（滑る直前）の下限値に相当する接続下限目標油圧Ｐｘになるまで、クラッチレバー４ｂの操作よりも早く変化させておくことが可能となる。つまり、クラッチレバー４ｂの操作位置がクラッチ切断位置に達する前に、クラッチ装置２６を予め切断直前の状態とすることが可能となる。このため、クラッチレバー４ｂの切断操作に対するクラッチ装置２６の作動の遅れが抑えられ、マニュアルクラッチ操作の介入時におけるクラッチ装置２６の切断性能（応答性）を向上させることができる。
【０１０９】
上記クラッチ制御装置６０Ａにおいて、ＥＣＵ６０は、クラッチ容量の制御目標値を接続下限目標油圧Ｐｘに設定した状態で、対操作目標油圧Ｐｖが接続下限目標油圧Ｐｘをクラッチ切断側に超えた場合には、対操作目標油圧Ｐｖに基づくクラッチ制御に移行する。
この構成によれば、クラッチレバー４ｂの操作量に応じた対操作目標油圧Ｐｖが、接続下限目標油圧Ｐｘをクラッチ切断側に超えた場合には、対操作目標油圧Ｐｖに基づいてクラッチ容量を制御することで、マニュアルクラッチ操作によってユーザーが操作量に比例してクラッチ装置２６の切断操作を行うことができる。
【０１１０】
上記クラッチ制御装置６０Ａにおいて、ＥＣＵ６０は、クラッチレバー操作量センサ４ｃの出力値に基づいて、クラッチレバー４ｂがクラッチ接続側へ操作されて介入判断レバー角度θ２を越えた場合には、クラッチ容量の制御目標値を、マニュアルクラッチ操作から切り離した自動制御目標油圧Ｐａに設定する。
この構成によれば、クラッチレバー４ｂがクラッチ接続側へ操作されて所定のレバー角度に達した場合には、ユーザー要望によりマニュアルクラッチ操作の介入が終了したものとし、連続的に自動制御に切り替えることができる。
【０１１１】
上記クラッチ制御装置６０Ａにおいて、接続下限目標油圧Ｐｘは、クラッチ装置２６が滑らない値（クラッチ装置２６にギャップが生じない値）である。
この構成によれば、クラッチ装置２６が完全に接続した状態の直後からクラッチ装置２６の切断を開始することが可能となり、ユーザー操作により接続下限目標油圧Ｐｘを越えた後には、ユーザー要望を反映するように速やかにクラッチ装置２６を切断することができる。
【０１１２】
また、上記クラッチ制御装置６０Ａは、クラッチ容量の制御目標値に対する実際の制御パラメータ（スレーブ油圧）を検知する制御パラメータセンサ（下流側油圧センサ）５８をさらに備え、ＥＣＵ６０は、マニュアルクラッチ操作の介入によるクラッチ切断操作時に、制御パラメータセンサにより検知した制御パラメータが、予め定めた切断判断油圧Ｐｚに達した場合には、クラッチ容量の制御目標値を、クラッチレバー４ｂの操作量に応じた対操作目標油圧Ｐｖに対して切断判断油圧Ｐｚに近付けた接続準備目標油圧Ｐｙに設定する。
【０１１３】
この構成によれば、クラッチ容量の制御目標値を、クラッチ装置２６が接続を開始する直前の目標値に相当する接続準備目標油圧Ｐｙに維持するように、クラッチレバー４ｂの操作と切り離して変化させておくことが可能となる。つまり、クラッチレバー４ｂの操作位置がクラッチ切断後にクラッチ接続位置に戻る前に、クラッチ装置２６を予め接続開始直前の状態とすることが可能となる。このため、クラッチレバー４ｂの操作に対するクラッチ装置２６の作動の遅れが抑えられ、マニュアルクラッチ操作の介入時におけるクラッチ装置２６の接続性能（応答性）を向上させることができる。
【０１１４】
上記クラッチ制御装置６０Ａにおいて、ＥＣＵ６０は、マニュアルクラッチ操作の介入によりクラッチ切断状態にあるとき、対操作目標油圧Ｐｖが接続準備目標油圧Ｐｙをクラッチ接続側に越えた場合には、対操作目標油圧Ｐｖに基づくクラッチ制御に移行する。
この構成によれば、クラッチレバー４ｂの操作量に応じた対操作目標油圧Ｐｖが、接続準備目標油圧Ｐｙをクラッチ接続側に超えた場合には、対操作目標油圧Ｐｖに基づいてクラッチ容量を制御することで、マニュアルクラッチ操作によってユーザーが操作量に比例してクラッチ装置２６の接続操作を行うことができる。
【０１１５】
上記クラッチ制御装置６０Ａにおいて、切断判断油圧Ｐｚは、クラッチ装置２６に引きずりが無いと判断できる値（クラッチ装置２６に十分なギャップが生じている値）である。
この構成によれば、クラッチ装置２６が完全に切断した状態の直前に接続準備目標油圧Ｐｙを設定することが可能となり、ユーザー操作により接続準備目標油圧Ｐｙを越えた後には、ユーザー要望を反映するように速やかにクラッチ装置２６を接続することができる。
【０１１６】
本発明は上記実施形態に限られるものではなく、例えば、油圧の増加でクラッチを接続し、油圧の低減でクラッチを切断する構成への適用に限らず、油圧の増加でクラッチを切断し、油圧の低減でクラッチを接続する構成に適用してもよい。
クラッチ操作子は、クラッチレバーに限らず、クラッチペダルやその他の種々操作子であってもよい。
上記実施形態のようにクラッチ操作を自動化した鞍乗型車両への適用に限らず、マニュアルクラッチ操作を基本としながら、所定の条件下でマニュアルクラッチ操作を行わずに駆動力を調整して変速を可能とする、いわゆるクラッチ操作レスの変速装置を備える鞍乗型車両にも適用可能である。
また、上記鞍乗型車両には、運転者が車体を跨いで乗車する車両全般が含まれ、自動二輪車（原動機付自転車及びスクータ型車両を含む）のみならず、三輪（前一輪かつ後二輪の他に、前二輪かつ後一輪の車両も含む）又は四輪の車両も含まれ、かつ電気モータを原動機に含む車両も含まれる。
そして、上記実施形態における構成は本発明の一例であり、当該発明の要旨を逸脱しない範囲で種々の変更が可能である。
【符号の説明】
【０１１７】
１  自動二輪車（鞍乗型車両）
４ｂ  クラッチレバー（クラッチ操作子）
４ｃ  クラッチレバー操作量センサ（クラッチ操作量センサ）
１３  エンジン
２１  変速機
２６  クラッチ装置
５０  クラッチアクチュエータ
５８  制御パラメータセンサ（下流側油圧センサ）
６０  ＥＣＵ（制御部）
６０Ａ  クラッチ制御装置
θ２  介入判断レバー角度（介入判断操作量）
Ｐｖ  対操作目標油圧（対操作目標値）
Ｐｘ  接続下限目標油圧（接続下限目標値）
Ｐａ  自動制御目標油圧（自動制御目標値）
Ｐｚ  切断判断油圧（切断判断値）
Ｐｙ  接続準備目標油圧（接続準備目標値）
【図１】
2019087511.tif 000003
【図２】
2019087511.tif 000004
【図３】
2019087511.tif 000005
【図４】
2019087511.tif 000006
【図５】
2019087511.tif 000007
【図６】
2019087511.tif 000008
【図７】
2019087511.tif 000009
【図８】
2019087511.tif 000010
【図９】
2019087511.tif 000011
【図１０】
2019087511.tif 000012
【図１１Ａ】
2019087511.tif 000013
【図１１Ｂ】
2019087511.tif 000014
【図１２】
2019087511.tif 000015
【図１３】
2019087511.tif 000016
【国際調査報告】
2019087511.tif 000017
2019087511.tif 000018
2019087511.tif 000019
2019087511.tif 000020